(57)【特許請求の範囲】
【請求項１】
少なくとも前後一対の針床間の歯口下方に設けられ、歯口から編地の編出し部を引降ろす横編機の編出し装置において、
歯口下方で、歯口直下の鉛直面よりも前方側で昇降可能に設けられ、編地を引掛けるためのフックが先端に開口する編出し針を備える前方編出し装置と、
歯口直下に立設され、歯口直下の鉛直面を挟んで対向し、上方で相互間の間隔が小さくなるような傾斜を有し、前方編出し装置および後方編出し装置の昇降移動をそれぞれ案内するための前後一対のガイドレールと、
各ガイドレール上に摺動自在に取付けられ、前方編出し装置および後方編出し装置の編出し針の長手方向をそれぞれ鉛直方向に保つ前後一対の摺動部材とを含み、
前記編出し針は、スライダによるフックの開閉機構を備え、
前記前方および後方編出し装置の編出し針の先端のフックは、開口が前方および後方にそれぞれ向けられて背中合わせ状態になり、
前後一対の編出し装置の移動軌跡の途中に、編地を一対のローラ間で挟持して巻下げる巻下げ装置が配設されることを特徴とする横編機の編出し装置。
【請求項２】
前記スライダによるフックの開閉機構は、遠隔的に制御されて、フックが編地を引掛けているときに、編地を解放可能であることを特徴とする請求項１記載の横編機の編出し装置。
【請求項３】
前記スライダに対する編地解放のための駆動力は、ワイヤを介して伝達されることを特徴とする請求項２記載の横編機の編出し装置。
【請求項４】
少なくとも前後一対の針床間の歯口下方に設けられ、歯口から編地の編出し部を引降ろす横編機の編出し装置において、
歯口下方で、歯口直下の鉛直面よりも前方側で昇降可能に設けられ、編地を引掛けるためのフックが先端に開口する編出し針を備える前方編出し装置と、
歯口直下に立設され、歯口直下の鉛直面を挟んで対向し、上方で相互間の間隔が小さくなるような傾斜を有し、前方編出し装置および後方編出し装置の昇降移動をそれぞれ案内するための前後一対のガイドレールと、
各ガイドレール上に摺動自在に取付けられ、前方編出し装置および後方編出し装置の編出し針の長手方向をそれぞれ鉛直方向に保つ前後一対の摺動部材とを含み、
前記前方および後方編出し装置の編出し針の先端のフックは、互いに相手側のフックが引掛けている編地に干渉しないような方向に開口が向けられ、
前後一対の編出し装置の移動軌跡の途中に、編地を一対のローラ間で挟持して巻下げる巻下げ装置が配設され、
前記前方編出し装置および前記後方編出し装置の移動位置をそれぞれ検出する位置検出装置と、
位置検出装置からの出力に応答して、歯口付近で一方の編出し装置を使用中のときには、歯口から予め定める長さの範囲内に他方の編出し装置を接近させないように制御する制御装置とを、さらに含むことを特徴とする横編機の編出し装置。
【発明の詳細な説明】
【０００１】
【発明の属する技術分野】
本発明は、少なくとも前後一対の針床を有するいわゆるＶベッド型横編機による編成開始時に、編出しを行うための横編機の編出し装置に関する。
【０００２】
【従来の技術】
従来から、たとえば特公平３−７７２９８号公報などによって、本件出願人は横編機におけるスライダ開閉式編出し装置に関連する技術を開示している。複数の編出し装置を用いる先行技術は、たとえば特公昭４７−４９７８９号公報に開示されている。スライダ機構を有し、編出し装置からの編地の解放が可能な先行技術は、特公昭４５−２４３０６号公報にも開示されている。
【０００３】
特公平３−７７２９８号公報で開示されているように、横編機には歯口下方に設けられ、編地の編出しを行うための編出し装置と、編出し装置によってある程度の長さまで引下げられた編地を挟持して巻下げる巻下げ装置との両方が備えられることがある。横編機において良好な編成を行うためには、すでに編成を終了した編地に張力を与え、編針から外れないように、また編成作用の際のノックオーバを確実に行わせることが重要である。編出し装置は歯口下方の空間内で昇降移動可能であるけれども、そのストロークを大きく取ることは困難である。したがって、１ガーメントの長さが長いような場合は、巻下げ装置を用いて長期間にわたって安定な張力を編地に加える必要がある。
【０００４】
【発明が解決しようとする課題】
特公平３−７７２９８号公報に示されているような、１つの編出し装置を巻下げ装置と併用する構成では、編出し装置を使用して初期段階の編成を行い、編出し装置から巻下げ装置に編地を受渡して連続的な編成を行う。巻下げ装置が編地を巻下げている段階では、編出し装置は巻下げ装置の下方に待機しているのみで、新たな編地の編成に寄与させることはできない。
【０００５】
特公昭４７−４９７８９号公報の先行技術によれば、編み幅の変わる数だけの編出し装置を予め用意しておき、編出し時に歯口付近で順次使用するので、編目の増加を伴うような編地の編成も可能となる。しかしながら、この先行技術では、前後一対の編出し装置を、鉛直方向に立設した平行なガイドレール上を摺動変位する摺動板に編出し針を内向に取付け、前後の編出し装置の編出し針の開口側が相互に向かい合うように配置している。このような配置は編み幅の増加を前提としており、この先行技術の第２図に示されているように、編地の横幅方向に異なる部分の編出しを行う場合には相互の干渉を生じないけれども、同じ横幅部分の編出しを行うような場合には編出し針のフック同士が干渉したり、編出し針のフックがすでに編成されて相手側のフックによって引下げられている編地の編目に引掛かりやすい。
【０００６】
特公昭４５−２４３０６号公報の先行技術では、編出し装置のみが設けられ、編地を解放する構成は開示されているけれども、長期間にわたって安定に編地を引下げるための構成は開示されていない。
【０００７】
本発明の目的は、前後一対の編出し装置を用いて、同一ガーメント内の異なる箇所での編出し編成を可能とする横編機の編出し装置を提供することである。
【０００８】
【課題を解決するための手段】
本発明は、少なくとも前後一対の針床間の歯口下方に設けられ、歯口から編地の編出し部を引降ろす横編機の編出し装置において、
歯口下方で、歯口直下の鉛直面よりも前方側で昇降可能に設けられ、編地を引掛けるためのフックが先端に開口する編出し針を備える前方編出し装置と、
歯口直下に立設され、歯口直下の鉛直面を挟んで対向し、上方で相互間の間隔が小さくなるような傾斜を有し、前方編出し装置および後方編出し装置の昇降移動をそれぞれ案内するための前後一対のガイドレールと、
各ガイドレール上に摺動自在に取付けられ、前方編出し装置および後方編出し装置の編出し針の長手方向をそれぞれ鉛直方向に保つ前後一対の摺動部材とを含み、
前記編出し針は、スライダによるフックの開閉機構を備え、
前記前方および後方編出し装置の編出し針の先端のフックは、開口が前方および後方にそれぞれ向けられて背中合わせ状態になり、
前後一対の編出し装置の移動軌跡の途中に、編地を一対のローラ間で挟持して巻下げる巻下げ装置が配設されることを特徴とする横編機の編出し装置である。
本発明に従えば、歯口直下よりも前方側で昇降移動可能な前方編出し装置と、後方側で昇降移動可能な後方編出し装置とが歯口直下に設けられる。前方および後方編出し装置は歯口直下に隣接され、鉛直面を挟んで対向し、上方で相互間の間隔が小さくなるような傾斜を有する前後一対のガイドレール上に、摺動自在に取付けられる前後一対の摺動部材に取付けられる。摺動部材は、前方および後方編出し装置に備えられる編出し針を鉛直方向に保持する。編出し針の先端のフックの開口方向は、他方、すなわち前方編出し装置では後方側、後方編出し装置では前方側のフックが引掛けている編地に干渉しないような方向で背中合わせ状態となっているので、一方の編出し装置の編出し針によって引下げられている編地の近傍を他方の編出し装置の編出し針が下降しても、編地をフックによって引掛ける恐れは生じない。また歯口付近では、ガイドレールの傾斜によって前方編出し装置と後方編出し装置とが接近するけれども、編出し針の向きは鉛直方向となるように摺動部材が保つので、狭い歯口付近で編出し針を接近させ、短いストローク差で前後一対の編出し装置を使用することも容易である。また、前後一対の編出し装置の移動軌跡の途中には、編地を一対のローラ間で挟持して巻下げる巻下げ装置が配設されるので、編出し装置によって巻下げられた編地をさらに巻下げローラによって安定して引下げることができる。
【０００９】
また本発明の前記スライダによるフックの開閉機構は、遠隔的に制御されて、フックが編地を引掛けているときに、編地を解放可能であることを特徴とする。
本発明に従えば、スライダによるフックの開閉機構は、遠隔的に制御されて、編地を解放可能であるので、編出しが不要となったら編地を解放し、再び上昇移動させて新たな編地の編出しに使用することができる。
【００１０】
また本発明の前記スライダに対する編地解放のための駆動力は、ワイヤを介して伝達されることを特徴とする。
本発明に従えば、スライダに対する編地解放のための駆動力はワイヤを介して遠隔的に伝達されるので、編出し装置の櫛ベッドなどにスライダ開閉機構を組込む必要がなく、重量の軽減と構成の簡素化を図ることができる。特に前方および後方編出し装置を積層して配設させるので、スライダの開閉機構を櫛ベッドなどに取付けることはスペース的に困難であり、横編機本体側の空いたスペースに開閉機構を配設して、そのような問題を解消させることができる。
【００１１】
さらに本発明は、少なくとも前後一対の針床間の歯口下方に設けられ、歯口から編地の編出し部を引降ろす横編機の編出し装置において、
歯口下方で、歯口直下の鉛直面よりも前方側で昇降可能に設けられ、編地を引掛けるためのフックが先端に開口する編出し針を備える前方編出し装置と、
歯口直下に立設され、歯口直下の鉛直面を挟んで対向し、上方で相互間の間隔が小さくなるような傾斜を有し、前方編出し装置および後方編出し装置の昇降移動をそれぞれ案内するための前後一対のガイドレールと、
各ガイドレール上に摺動自在に取付けられ、前方編出し装置および後方編出し装置の編出し針の長手方向をそれぞれ鉛直方向に保つ前後一対の摺動部材とを含み、
前記前方および後方編出し装置の編出し針の先端のフックは、互いに相手側のフックが引掛けている編地に干渉しないような方向に開口が向けられ、
前後一対の編出し装置の移動軌跡の途中に、編地を一対のローラ間で挟持して巻下げる巻下げ装置が配設され、
前記前方編出し装置および前記後方編出し装置の移動位置をそれぞれ検出する位置検出装置と、
位置検出装置からの出力に応答して、歯口付近で一方の編出し装置を使用中のときには、歯口から予め定める長さの範囲内に他方の編出し装置を接近させないように制御する制御装置とを、さらに含むことを特徴とする横編機の編出し装置である。
本発明に従えば、位置検出装置によって前方編出し装置および後方編出し装置の移動位置が検出され、制御装置によって歯口付近で一方の編出し装置を使用中のときには、歯口から予め定める長さの範囲に他方の編出し装置を接近させないように制御されるので、編出し装置同士の緩衝を確実に防止し、かつ可能な限り正確に短い間隔で編出し装置を使用することができる。
【００１２】
【発明の実施の形態】
図１は、本発明の実施の一形態による横編機の編出し装置の概略的な構成を示す。前針床１および後針床２間に形成される歯口３の直下に、一対の前方編出し装置４および後方編出し装置５が設けられる。前方編出し装置４および後方編出し装置５の先端には、編出し針６，７がそれぞれ装着され、そのフック８，９の開口側は、それぞれ前方および後方に向き、前方編出し装置４および後方編出し装置５の間では背中合わせ状態になっている。歯口３の直下方の鉛直面１０を挟んで前方側および後方側には、前方編出し装置４および後方編出し装置５をそれぞれ案内するガイドレール１１，１２が設けられる。ガイドレール１１，１２相互間の距離は、上方になるに従って縮まるように傾斜が設けられる。この傾斜角は、約２°である。ガイドレール１１，１２上を摺動自在な摺動部材１３，１４は、編出し針６，７をそれぞれ鉛直方向を向くように傾斜した状態で保持する。
【００１３】
摺動部材１３，１４は、プーリ１５，１６に掛渡されるベルト１７，１８によって、昇降移動のための摺動変位が行われる。ベルト１７，１８の下端は、プーリ１９，２０にそれぞれ掛渡され、モータ２１，２２によってそれぞれ回転駆動される。プーリ１９，２０の回転軸にはエンコーダ２３，２４も装着され、摺動部材１３，１４の変位量を検出することができる。摺動部材１３，１４がガイドレール１１，１２の最下端に変位すると、原点センサ２５，２６によって検出される。制御装置１００は、原点センサ２５，２６が摺動部材１３，１４のそれぞれ最下端に到達していることを検出すると、摺動部材１３，１４がガイドレール１１，１２に沿って上昇するときの位置を、最下端を基準としてエンコーダ２３，２４からの出力に基づいて算出する。また制御装置１００は、一方の編出し針６，７が歯口３付近に上昇しているとき、他方の編出し針６，７が一定距離、たとえば５０ｍｍ以内に近付かないようなインターロック制御を行う。
【００１４】
ガイドレール１１，１２によって案内される前方編出し装置４および後方編出し装置５の移動軌跡の途中には、巻下げ装置を構成する固定ローラ２７および移動ローラ２８が設けられる。固定ローラ２７および移動ローラ２８は、前針床１および後針床２の長手方向に平行に延び、前方編出し装置４または後方編出し装置５によって引下げられる編地を挟持して、巻下げることができる。固定ローラ２７は固定ブラケット２９に軸支され、移動ローラ２８は移動アーム３０に軸支される。移動アーム３０は、大略的に「く」の字状であり、中心付近の支点を中心に揺動変位可能である。移動アーム３０が揺動変位すると、固定ローラ２７および移動ローラ２８相互間の間隔が開いた状態と、固定ローラ２７および移動ローラ２８が相互に接触して間に編地を挟持する状態とを切換えることができる。前方編出し装置４または後方編出し装置５は、固定ローラ２７および移動ローラ２８の間隔が開いた状態で、歯口３まで上昇することができる。歯口３と固定ローラ２７および移動ローラ２８との間には、補助固定ローラ３１および補助移動ローラ３２も設けられる。補助移動ローラ３２は補助移動アーム３３に軸支され、相互間の間隔が開いた状態として編地を挟持する状態とを切換えることができる。補助固定ローラ３１および補助移動ローラ３２が編地を挟持する状態では、歯口３の直下に近い位置で編地を案内することができる。
【００１５】
図２、図３および図４は、図１の実施の形態による横編機の簡略化した全体的構成を示す。図２は側断面図、図３は正面断面図、図４は平面断面図をそれぞれ示す。横編機は、一般にフレーム３４上に前針床１および後針床２が設置され、前針床１および後針床２には、カバー３５がかぶせられている。前針床１および後針床２の長手方向には、キャリッジが往復走行して編地を編成するけれども、説明の簡略化のため、関連する構成については図示を省略する。前方編出し装置４、後方編出し装置５の遠隔的な編地解放制御のため、カム装置３７，３８、ワイヤ３９，４０がそれぞれ設けられる。カム装置３７，３８はフレーム３４側に固定され、前方編出し装置４、後方編出し装置５側にそれぞれ設けられるレバー装置４１，４２に、編地解放のための駆動力を伝達する。編地巻下げのための固定ローラ２７および移動ローラ２８の回転駆動のために、モータ４３およびベルト４４が設けられる。
【００１６】
図５および図６は、前方編出し装置４の編出し針６のフック８から編地を解放させるためのカム装置３７およびレバー装置４１の動作状態を示す。図５は編地を保持する状態、図６は編地を解放する状態をそれぞれ示す。後方編出し装置５の編出し針７のフック９を解放するためのカム装置３８、およびレバー装置４２についての構成も同様である。フック８，９の解放に関連する制御も、図１の制御装置１００によって行われる。
【００１７】
カム装置３７側には、フレーム３４に固定するためのスタンド４５に、大略的に「Ｌ」字状のレバー４６が中心付近を支点として揺動変位可能に取付けられる。レバー４６の一方の腕の先端には長孔４７が形成され、ホロア４８がその長孔４７に係合する。ホロア４８は、カム装置３７に取付けられてモータによって角変位されるカム板４９上に取付けられる。カム板４９の角変位は、センサ５０によって検出される。レバー４６の他方のアームの先端には、ワイヤ３９が接合される。ワイヤ３９は、外管内を挿通する芯線によって、レバー４６の変位をレバー装置４１側に伝達する。
【００１８】
レバー装置４１側では、ワイヤ３９によって伝達された駆動力をアーム５１の先端で受ける。アーム５１はホルダ５２によって支持され、ワイヤ３９によって伝達された駆動力を作動片５３の横方向の摺動変位に変換する。作動片５３は、前方編出し装置４に備えられる溝カム板５４に取付けられており、溝カム板５４には横方向の変位を上下方向の変位に変換するための溝カム５５が形成されている。溝カム５５にはホロア５６が係合しており、溝カム板５４の横方向の変位は、昇降板５７の上下方向の変位に変換される。
【００１９】
図７は、前方編出し装置４に取付けられる編出し針６の構成を示す。後方編出し装置５に取付けられる編出し針７についても、同様の構成を有する。編出し針６は、櫛ベッド５８に装着される針本体５９と、昇降板５７に連結されて針本体５９に対して相対的に摺動変位してフック８を開閉するスライダ６０とによって構成される。
【００２０】
図８は、針本体５９およびスライダ６０の先端付近の構成を示す。図８（１）はフック８を開口させて編地を保持する状態、図８（２）はフック８を閉じて編地を解放する状態をそれぞれ示す。スライダ６０の先端にはフック用屈曲部６１が形成され、編地を引掛けて保持することができる。針本体５９の先端にはフック収納部６２が形成され、図８（２）に示すように、フック収納部６２内にフック用屈曲部６１を収納した状態では、フック収納部６２の斜面６３によってフック用屈曲部６１の内側に掛けられていた編目を解放することができる。なお、フック収納部６２の先端６４側は、編出し針６の上昇時に、他方すなわち後方編出し装置によって引下げられている編地を突刺すことを防止するために、なだらかな形状となるように逃がしを形成している。
【００２１】
なお本実施の形態では、前方編出し装置４側の編出し針６のフック８の向きと、後方編出し装置５の編出し針７のフック９の向きとが背中合わせとなるようにしているけれども、互いに相手側のフックが引掛けている編地に干渉しないような向きであればよい。凹凸が大きい組織柄で編成した編地などでは、フックの向きは針床の長手方向に平行な程度までしか相手側には向けられない。相手側にさらにフックを向けると、編出し針を下降させる際に相手側が引掛けている編地を引掛けてしまうおそれがある。
【００２２】
図９は、本実施の形態による編出し装置を用いて好適に編成することができる他の例として、たとえばカーディガンなどの前身頃７０の裾ゴム７１の近くにポケット７２を編出す編地の例を示す。図９（１）は正面図、図９（２）は側面図をそれぞれ示す。本実施の形態の編出し装置によれば、裾ゴム７１を先ず編出しし、次に編出し装置を装着したままポケット７２の編出しを行うことができる。
【００２３】
本実施の形態による編出し装置を用いれば、他にも従来の一基のみの編出し装置を用いては編成困難な編地を容易に編成することができる。
【００２４】
【発明の効果】
以上のように本発明によれば、前後一対の編出し装置を、相互間の干渉を極力避けた状態で使用することができるので、時間差をおいて編成する必要があるような種々の編地を容易に編成することができる。また、編出し装置によって編成された編地を巻下げ装置によってさらに巻下げることができるので、長期間にわたって編地を安定に引張ることができるばかりでなく、編地を解放した編出し装置をさらに使用して新たな編地を編成することもできる。
【００２５】
また本発明によれば、編出し装置にはスライダのフックの開閉によって編地を解放する機構が遠隔的に制御可能に設けられるので、編出しの必要がなくなった編地を迅速に解放し、編出し装置を新たな編地の編出しに利用することが容易である。
【００２６】
また本発明によれば、編出し装置の編地解放機構はワイヤを介する駆動力の伝達で遠隔制御可能であるので、編出し装置を積層配置するスペースを充分に確保することができ、確実に開閉機構を制御することができる。
【００２７】
さらに本発明によれば、編出し装置の移動位置は位置検出手段によって検出され、歯口付近で一方の編出し装置を使用しているときには、他方の編出し装置が接近するのを防止することができる。
【図面の簡単な説明】
【図１】本発明の実施の一形態の概略的な構成を示す側断面図である。
【図２】図１の実施形態の横編機の全体的な構成を示す側断面図である。
【図３】図１の実施形態の横編機の全体的な構成を示す正面断面図である。
【図４】図１の実施形態の横編機の全体的な構成を示す平面断面図である。
【図５】図１の実施形態の編出し装置のカム装置およびレバー装置の構成を示す部分的な正面図である。
【図６】図１の実施形態のカム装置およびレバー装置の構成を示す部分的な正面図である。
【図７】図１の実施形態の編出し針の構成を示す断面図である。
【図８】図７の編出し針の先端部の構成を示す部分的な側面図である。
【図９】図１の実施形態によって好適に編成される裾ゴム付近のポケット編地の平面図および側面図である。
【符号の説明】
１  前針床
２  後針床
３  歯口
４  前方編出し装置
５  後方編出し装置
６，７  編出し針
８，９  フック
１０  鉛直面
１１，１２  ガイドレール
１３，１４  摺動部材
１７，１８  ベルト
２１，２２  モータ
２３，２４  エンコーダ
２５，２６  原点センサ
２７  固定ローラ
２８  移動ローラ
３４  フレーム
３５  カバー
３７，３８  カム装置
３９，４０  ワイヤ
４１，４２  レバー装置
４６  レバー
４７  長孔
５１  アーム
５４  溝カム板
５５  溝カム
５７  昇降板
５８  櫛ベッド
５９  針本体
６０  スライダ
６２  フック収納部
６３  斜面
７１  裾ゴム
７２  ポケット
１００  制御装置
【図１】
0003612113.tif 000002
【図２】
0003612113.tif 000003
【図３】
0003612113.tif 000004
【図４】
0003612113.tif 000005
【図５】
0003612113.tif 000006
【図６】
0003612113.tif 000007
【図７】
0003612113.tif 000008
【図８】
0003612113.tif 000009
【図９】
0003612113.tif 000010